(57)【特許請求の範囲】
【請求項１】
グリル庫内の載置部に載置された被調理物を加熱するグリルバーナと、前記グリルバーナの火力を調節する火力調節手段と、目標火力を変更設定する火力設定手段と、前記グリルバーナの燃焼を制御する運転制御手段とが設けられ、
前記運転制御手段が、前記グリルバーナの火力を前記火力設定手段にて設定された前記目標火力に対応する大きさに調節すべく、前記火力調節手段を作動させる火力調節制御を実行するように構成されたグリルであって、
減煙運転モードを指令する減煙モード指令手段が設けられ、
前記運転制御手段が、前記減煙運転モードが指令された場合には、前記火力調節制御に代えて、前記目標火力の変更範囲における少なくとも火力大側範囲においては前記目標火力の大きさが同じであるときの火力を前記火力調節制御にて調節する火力よりも小さな火力とする形態で、前記火力設定手段にて設定される前記目標火力の大きさに応じて前記グリルバーナの火力を調節すべく、前記火力調節手段を作動させる減煙火力調節制御を実行するように構成され、
前記被調理物の加熱を開始してから加熱を停止するまでの加熱調理時間を変更設定する加熱調理時間設定手段が設けられ、
前記運転制御手段が、前記加熱調理時間設定手段の設定情報に基づいて前記加熱調理時間を設定し、かつ、前記グリルバーナの燃焼を開始してからの経過時間が前記加熱調理時間に達すると、前記グリルバーナの燃焼を停止させる加熱停止処理を実行するように構成され、且つ、前記加熱調理時間として設定可能な最大値を、前記減煙運転モードが指令されたときには、前記減煙運転モードが指令されないときよりも、大きくするように構成されているグリル。
【請求項２】
前記グリルバーナとして、前記被調理物を上方から加熱する上バーナと、前記被調理物を下方から加熱する下バーナとが設けられ、
前記運転制御手段が、前記上バーナの火力に対する前記下バーナの火力の比率を、前記火力調節制御よりも前記減煙火力調節制御において小さくする形態で、前記火力調節手段を作動させるように構成されている請求項１記載のグリル。
【請求項３】
前記グリル庫の温度を検出する温度検出手段が設けられ、
前記運転制御手段が、前記グリルバーナの燃焼を開始したときの前記温度検出手段の検出温度に基づいて、前記加熱調理時間の初期値を、前記検出温度が高いほど低く設定する初期設定処理を実行し、かつ、前記加熱調理時間設定手段の設定情報に基づいて、前記初期設定処理によって設定した前記初期値を変更するように構成され、且つ、
前記温度検出手段の検出温度が同じであるときの前記初期値を、前記減煙運転モードが指令されたときには、前記減煙運転モードが指令されないときよりも、大きな値を設定する形態で、前記初期設定処理を実行するように構成されている請求項１又は２記載のグリル。
【請求項４】
前記グリル庫の温度を検出する温度検出手段が設けられ、
前記運転制御手段が、前記減煙火力調節制御を実行しているときに、前記温度検出手段の検出温度が火力低減用設定温度に達した場合には、前記グリルバーナの火力を前記火力設定手段にて設定された前記目標火力に対応する大きさから低下させる火力低下処理を実行するように構成されている請求項１〜３のいずれか１項に記載のグリル。
【発明の詳細な説明】
【技術分野】
【０００１】
本発明は、グリル庫内の載置部に載置された被調理物を加熱するグリルバーナと、前記グリルバーナの火力を調節する火力調節手段と、目標火力を変更設定する火力設定手段と、前記グリルバーナの燃焼を制御する運転制御手段とが設けられ、
前記運転制御手段が、前記グリルバーナの火力を前記火力設定手段にて設定された前記目標火力に対応する大きさに調節すべく、前記火力調節手段を作動させる火力調節制御を実行するように構成されたグリルに関する。
【背景技術】
【０００２】
かかるグリルは、魚類やピザ等の被調理物を加熱調理するものであり、被調理物を加熱調理する際には、油煙が発生する場合がある。特に、秋刀魚等の油脂分の多い被調理物を加熱調理する際には、多量の油煙が発生する虞がある。
尚、一般に、グリル庫の後部には、上方に向かう排気ダクトが連設されて、グリルバーナの燃焼ガスや被調理物を加熱調理した際に発生する油煙が、排気ダクトを通してグリルの外部に排出されることになる。
【０００３】
かかるグリルの第１の従来例として、排気ダクトの底部に、排気ダクトを通過する油煙を燃焼させるためのアフターバーナを設け、かつ、排気ダクトの中間部に、油煙を無煙、無臭化処理するための触媒フィルタを設けたものがある（例えば、特許文献１参照。）。
【０００４】
この特許文献１は、グリル庫内に油煙が発生しても、アフターバーナが油煙を燃焼させる作用、及び、触媒フィルタが油煙を無煙、無臭化処理する作用によって、外部に排出される油煙量を減少させることができるものである。
通常、ガスコンロに内蔵されるグリルの場合には、排気ダクトから外部に排出された燃焼ガスや油煙が、台所に装備した換気扇にて屋外に排出されることになる等、一般に、グリルから排出される燃焼ガスや油煙は、換気扇にて屋外に排出されることになるため、被調理物を加熱調理する際に、グリルから多少の油煙が排出されても、大きな不都合はない。
【０００５】
しかしながら、秋刀魚等の油脂分の多い被調理物を加熱調理する際に、多量の油煙がグリルから排出されると、排出される油煙の全てを換気扇にて的確に屋外に排出し難いことに起因して、油煙のために屋内が汚損される虞があるが、特許文献１は、グリルの外部に排出される油煙量を減少させることができるものである。
【０００６】
ちなみに、この特許文献１には、アフターバーナの燃焼制御についての詳細な説明はないが、発明の詳細な説明の欄の全体の記載からは、グリルバーナの燃焼が開始されると、アフターバーナの燃焼が開始されるものであると考えることができる。
【０００７】
また、グリルの第２の従来例として、第１の従来例と同様に、アフターバーナ及び触媒フィルタが設けられ、そして、アフターバーナやグリルバーナの燃焼を制御する制御手段が、グリル庫内の油煙発生量を検出する煙検知手段にて検出される油煙発生量が所定基準値に達した場合に、アフターバーナを燃焼させ且つグリルバーナの火力を「弱火」に調整するように構成されたものがある（例えば、特許文献２参照。）。
【０００８】
つまり、この特許文献２は、グリル庫内に所定基準値に達する多量の油煙が発生する状態になると、アフターバーナにて油煙を燃焼する作用、触媒フィルタにて油煙を無煙、無臭化処理する作用、及び、グリルバーナの火力を「弱火」に調整して、油煙の発生量を減少させる作用によって、グリルの外部に排出される油煙量を減少させるようにしたものである。
【先行技術文献】
【特許文献】
【０００９】
【特許文献１】特許第４７２２８８２号公報
【特許文献２】特開２０１１−１１０２３７号公報
【発明の概要】
【発明が解決しようとする課題】
【００１０】
上述した第１の従来例においては、グリルの外部に排出される油煙量を減少させるために、アフターバーナ及び触媒フィルタを装備するものであるため、全体構成が複雑になる不都合があり、また、アフターバーナの燃焼のために、余分なエネルギを消費する不都合があり、改善が望まれるものである。
ちなみに、多量の油煙がグリル庫の内部に発生した場合には、アフターバーナ及び触媒フィルタが装備されていても、必ずしも、グリルの外部に排出される油煙量を的確に減少できない虞があり、この点からも、改善が望まれるものであった。
【００１１】
上述した第２の従来例は、第１の従来例と同様に、グリルの外部に排出される油煙量を減少させるために、アフターバーナ及び触媒フィルタを装備し、しかも、煙検知手段を装備するものであるため、全体構成が複雑になる不都合ある。
そして、この第２の従来例は、グリル庫内の油煙発生量が所定基準値に達した場合において、アフターバーナを燃焼させるものであるから、グリルバーナが燃焼しているときには、アフターバーナを常に燃焼させるように構成する場合に較べて、アフターバーナの燃焼のために必要となるエネルギ消費量を減少できるものではあるが、やはり、アフターバーナの燃焼のために、余分なエネルギを消費する不都合がある。
【００１２】
尚、この第２の従来例においては、グリル庫内の油煙発生量が所定基準値に達した場合には、アフターバーナの燃焼を開始することに加えて、グリルバーナの火力を「弱火」に調整して、油煙発生量を減少させるものであるから、第１の従来例に較べて、グリルの外部に排出される油煙量を適切に減少させることができる。
【００１３】
ちなみに、秋刀魚等の油脂分の多い被調理物を加熱調理する際においても、グリルバーナの火力を最大火力よりも小さな火力に調節するようにすれば、油煙の発生量を減少させることができるものであるが、従来のグリルにおいては、グリルバーナの火力が、常に、最大火力に調節できるものであるため、秋刀魚等の油脂分の多い被調理物を加熱調理する際にも、グリルバーナの火力を最大火力に調節して、加熱調理が行われる虞がある。
【００１４】
尚、グリルバーナの最大火力を、秋刀魚等の油脂分の多い被調理物を加熱調理する際においても、グリル庫内に多量の油煙が発生しない火力に設定する形態で、グリルを構成することが考えられるが、この場合、例えば、油煙の発生量が少ない被調理物を大きな火力にて調理する際等、十分に大きな火力を必要とする際において、十分に大きな火力を得ることができなくなる不都合がある。
【００１５】
本発明は、上記実情に鑑みて為されたものであって、その目的は、簡素な構成でかつエネルギの消費を抑制する形態で、外部に排出される油煙量を減少させることが可能なグリルを提供する点にある。
【課題を解決するための手段】
【００１６】
本発明のグリルは、グリル庫内の載置部に載置された被調理物を加熱するグリルバーナ
と、前記グリルバーナの火力を調節する火力調節手段と、目標火力を変更設定する火力設定手段と、前記グリルバーナの燃焼を制御する運転制御手段とが設けられ、
前記運転制御手段が、前記グリルバーナの火力を前記火力設定手段にて設定された前記目標火力に対応する大きさに調節すべく、前記火力調節手段を作動させる火力調節制御を実行するように構成されたものであって、その第１特徴構成は、
減煙運転モードを指令する減煙モード指令手段が設けられ、
前記運転制御手段が、前記減煙運転モードが指令された場合には、前記火力調節制御に代えて、前記目標火力の変更範囲における少なくとも火力大側範囲においては前記目標火力の大きさが同じであるときの火力を前記火力調節制御にて調節する火力よりも小さな火力とする形態で、前記火力設定手段にて設定される前記目標火力の大きさに応じて前記グリルバーナの火力を調節すべく、前記火力調節手段を作動させる減煙火力調節制御を実行するように構成され、
前記被調理物の加熱を開始してから加熱を停止するまでの加熱調理時間を変更設定する加熱調理時間設定手段が設けられ、
前記運転制御手段が、前記加熱調理時間設定手段の設定情報に基づいて前記加熱調理時間を設定し、かつ、前記グリルバーナの燃焼を開始してからの経過時間が前記加熱調理時間に達すると、前記グリルバーナの燃焼を停止させる加熱停止処理を実行するように構成され、且つ、前記加熱調理時間として設定可能な最大値を、前記減煙運転モードが指令されたときには、前記減煙運転モードが指令されないときよりも、大きくするように構成されている点を特徴とする。
【００１７】
すなわち、減煙モード指令手段にて減煙運転モードを指令しない場合には、運転制御手段によって、グリルバーナの火力を火力設定手段にて設定された目標火力に対応する大きさに調節する火力調節制御が実行され、減煙モード指令手段にて減煙運転モードを指令した場合には、運転制御手段によって、目標火力の変更範囲における少なくとも火力大側範囲においては目標火力の大きさが同じであるときの火力を火力調節制御にて調節する火力よりも小さな火力とする形態で、火力設定手段にて設定される目標火力の大きさに応じてグリルバーナの火力を調節する減煙火力調節制御が実行されることになる。
【００１８】
つまり、例えば、火力設定手段にて目標火力として最大火力を設定した際に得られるグリルバーナの火力が、減煙火力調節制御においては、火力調節制御における火力よりも小さな火力となる等、目標火力の変更範囲における少なくとも火力大側範囲においては、火力設定手段にて目標火力として同じ大きさの火力を設定しても、減煙火力調節制御によって得られるグリルバーナの火力が、火力調節制御によって得られるグリルバーナの火力よりも小さな火力となる。
【００１９】
したがって、グリルから排出される油煙量を減少させた状態で被調理物を加熱調理することを望む場合には、減煙運転モードを指令すれば、グリルバーナの最大火力が、減煙運転モードでないときの最大火力よりも小さな火力となる等、目標火力の変更範囲における少なくとも火力大側範囲においては、グリルバーナの火力を減煙運転モードでないときよりも小さく設定できるため、秋刀魚等の油脂分の多い被調理物を加熱調理する際にも、グリル庫内にて多量の油煙が発生することを抑制できることになり、グリルから外部に排出される油煙量を減少させることができる。
【００２０】
説明を加えると、油煙は、加熱される被調理物からしみ出る油脂分が不完全燃焼して生じるものであるから、グリルバーナの火力が弱ければ、グリル庫内の温度が高温になることを抑制でき、かつ、被調理物が高温になることを抑制できるため、被調理物からしみ出る油脂分の燃焼を抑制できることになり、油煙の発生量を減少させて、グリルから外部に排出される油煙量を減少させることができるのである。
【００２１】
ちなみに、グリルバーナの火力として、十分に大きな火力を必要とする場合には、減煙運転モードを指令しないことによって、グリルバーナの最大火力が、減煙運転モードが指令されたときよりも大きな火力になる等、グリルバーナの火力を減煙運転モードのときよりも大きく設定できるため、十分に大きな火力にて被調理物を加熱することができる。
【００２２】
このように、減煙運転モードを指令することによって、目標火力の変更範囲における少なくとも火力大側範囲においては、グリルバーナの火力を、減煙運転モードが指令されないときよりも小さくすることにより、グリルから外部に排出される油煙量を減少させるものであるから、グリルから排出される油煙を減少させるための特別な装置を必要としない簡単な構成で、かつ、グリルから排出される油煙を減少させるためにエネルギを必要としない形態で、外部に排出される油煙量を減少させることが可能となる。
【００２３】
要するに、本発明の第１特徴構成によれば、簡素な構成でかつエネルギの消費を抑制する形態で、外部に排出される油煙量を減少させることが可能なグリルを提供できる。
また、本発明の第１特徴構成は、加熱調理時間設定手段によって加熱調理時間を設定すれば、グリルバーナの燃焼を開始してからの経過時間が加熱調理時間に達すると、グリルバーナの燃焼を停止させる加熱停止処理が実行されるため、被調理物に応じて、加熱調理時間を設定することにより、被調理物に応じた加熱調理時間を越えて、被調理物が加熱されることを回避して、被調理物を適切に加熱することができる。
そして、加熱調理時間として設定可能な最大値を、減煙運転モードが指令されたときには、減煙運転モードが指令されないときよりも、大きくするように構成されているから、減煙運転モードが指令されていないときに、必要以上に長い加熱調理時間を設定する誤設定を回避しながらも、減煙運転モードが指令されたときには、被調理物を適切に加熱するのに必要な十分に長い加熱調理時間を設定することができる。
つまり、減煙運転モードにおいては、火力設定手段にて目標火力として同じ大きさの火力を設定しても、目標火力の変更範囲における少なくとも火力大側範囲においては、減煙運転モードを指令しない場合における火力調節制御によって得られるグリルバーナの火力よりも小さな火力となるものであるから、目標火力として、その変更範囲における火力大側範囲の火力が設定された場合においては、被調理物の加熱調理時間としては、減煙運転モードを指令しない場合よりも長い時間を必要とする。
したがって、減煙運転モードが指令されたときには、加熱調理時間として設定可能な最大値を十分大きくする必要があるが、加熱調理時間として設定可能な最大値を、減煙運転モードが指令されたときに必要とする最大値に対応して定めるようにすると、減煙運転モードが指令されていないときには、加熱調理時間として設定可能な最大値が、必要以上に長い時間となるため、減煙運転モードが指令されていない場合において、必要以上に長い加熱調理時間を誤設定する虞がある。
本第１特徴構成によれば、加熱調理時間として設定可能な最大値を、減煙運転モードが指令されたときには、減煙運転モードが指令されないときよりも、大きくするもの、換言すれば、加熱調理時間として設定可能な最大値を、減煙運転モードが指令されないときには、減煙運転モードが指令されたときよりも、小さくするものであるから、減煙運転モードが指令されないときに、加熱調理時間として、必要以上に長い時間を誤設定することを回避させながらも、減煙運転モードが指令されたときには、加熱調理時間として、被調理物を適切に加熱するのに必要な十分に長い時間を設定することができる。
要するに、本発明の第１特徴構成によれば、上記作用効果に加えて、被調理物に応じた加熱調理時間を越えて、被調理物が加熱されることを回避して、被調理物を適切に加熱することができ、しかも、減煙運転モードが指令されていないときに、必要以上に長い加熱調理時間を誤設定することを回避しながらも、減煙運転モードが指令されたときには、被調理物を適切に加熱するのに必要な十分に長い加熱調理時間を設定することができるグリルを提供できる。
【００２４】
本発明のグリルの第２特徴構成は、上記した第１特徴構成に加えて、
前記グリルバーナとして、前記被調理物を上方から加熱する上バーナと、前記被調理物を下方から加熱する下バーナとが設けられ、
前記運転制御手段が、前記上バーナの火力に対する前記下バーナの火力の比率を、前記火力調節制御よりも前記減煙火力調節制御において小さくする形態で、前記火力調節手段を作動させるように構成されている点を特徴とする。
【００２５】
すなわち、グリルバーナとして、被調理物を上方から加熱する上バーナと、被調理物を下方から加熱する下バーナとが設けられているから、魚類等の被調理物を上下に反転させる等の面倒な作業を行うことなく、魚類等の被調理物を上下両側から適切に加熱することができる。
【００２６】
そして、上バーナの火力に対する下バーナの火力の比率が、火力調節制御よりも減煙火力調節制御において小さくなるものであるから、減煙モード指令手段にて減煙運転モードが指令されて、減煙火力調節制御が実行される際には、減煙運転モードが指令されないで、火力調節制御が実行される場合よりも、下バーナの火力が小さくなるため、減煙運転モードにおいては、油煙の発生量を一層減少させ易いものとなる。
【００２７】
説明を加えると、上述の如く、グリル庫内の温度が高温になることや被調理物が高温になることを抑制すれば、被調理物からしみ出る油脂分の燃焼を抑制できるものあるが、例えば、グリル庫内の温度が高温ではなく、かつ、被調理物が高温になっていなくても、被調理物からしみ出た油脂分が、被調理物の下方に位置することになる下バーナの火炎内に落下した際には、油脂分が下バーナの火炎にて直接加熱されることによって、油煙が生成される場合がある。
【００２８】
本第２特徴構成によれば、減煙運転モードにおいては、下バーナの火力を小さくして、下バーナの火炎の長さを小さくするものであるから、被調理物からしみ出た油脂分が下バーナの火炎内に落下することが少なくなり、油煙の発生量を減少させることができるのである。
【００２９】
要するに、本発明の第２特徴構成によれば、上記第１特徴構成による作用効果に加えて、油煙の発生量を一層減少させることが可能となるグリルを提供できる。
【００３７】
本発明のグリルの第３特徴構成は、上記第１又は第２特徴構成に加えて、
前記グリル庫の温度を検出する温度検出手段が設けられ、
前記運転制御手段が、前記グリルバーナの燃焼を開始したときの前記温度検出手段の検出温度に基づいて、前記加熱調理時間の初期値を、前記検出温度が高いほど低く設定する初期設定処理を実行し、かつ、前記加熱調理時間設定手段の設定情報に基づいて、前記初期設定処理によって設定した前記初期値を変更するように構成され、且つ、
前記温度検出手段の検出温度が同じであるときの前記初期値を、前記減煙運転モードが指令されたときには、前記減煙運転モードが指令されないときよりも、大きな値を設定する形態で、前記初期設定処理を実行するように構成されている点を特徴とする。
【００３８】
すなわち、運転制御手段が、グリルバーナの燃焼を開始したときの温度検出手段の検出温度に基づいて、加熱調理時間の初期値を、検出温度が高いほど低く設定する初期設定処理を実行することになり、そして、加熱調理時間設定手段の設定情報に基づいて、初期設定処理によって設定した初期値が変更されることになる。
【００３９】
このように、加熱調理時間の初期値が、グリル庫の温度に基づいて、自動的に設定されるものであるから、加熱調理時間の設定操作の簡略化を図ることができるものとなる。
そして、使用者は、加熱調理時間の初期値が、被調理物の加熱時間としては過不足していると判断するときには、加熱調理時間を必要な長さの時間に変更設定できることになるから、加熱調理時間を、被調理物に応じた時間に適切に設定できる。
【００４０】
つまり、加熱調理時間の初期値を、グリル庫の温度に基づいて、自動的に設定することにより、加熱調理時間の設定操作の簡略化を図りながらも、加熱調理時間を被調理物に応じた必要な長さの時間に、適切に変更設定できるものとなる。
【００４１】
しかも、温度検出手段の検出温度が同じであるときの初期値が、減煙運転モードが指令されたときには、減煙運転モードが指令されないときよりも、大きな値に設定される形態で初期設定処理が行われるものであるから、減煙運転モードが指令されたとき、及び、減煙運転モードが指令されていないときの夫々において、加熱調理時間の初期値を、適正な値に設定することが可能となる。
【００４２】
つまり、減煙運転モードにおいては、火力設定手段にて目標火力として同じ大きさの火力を設定しても、目標火力の変更範囲における少なくとも火力大側範囲においては、減煙運転モードを指令しない場合の火力調節制御によって得られるグリルバーナの火力よりも小さな火力となるものであるから、目標火力として、目標火力の変更範囲における火力大側範囲の火力が設定された場合においては、被調理物の加熱調理時間としては、減煙運転モードを指令しない場合よりも長い時間を必要とするものである。
【００４３】
このように、減煙運転モードにおいては、被調理物の加熱調理時間として、減煙運転モードを指令しない場合よりも長い時間を必要とすることに鑑みて、温度検出手段の検出温度が同じであるときの初期値を、減煙運転モードが指令されたときには、減煙運転モードが指令されないときよりも、大きな値に設定するものであるから、減煙運転モードが指令されたとき、及び、減煙運転モードが指令されていないときの夫々において、加熱調理時間の初期値を、適正な値に設定することが可能となるのである。
【００４４】
要するに、本発明の第３特徴構成によれば、上記第１又は第２特徴構成による作用効果に加えて、加熱調理時間の初期値を、グリル庫の温度に基づいて、自動的に設定することによって、加熱調理時間の設定操作の簡略化を図りながらも、加熱調理時間を被調理物に応じた必要な長さの時間に、適切に変更設定でき、しかも、加熱調理時間の初期値を、減煙運転モードが指令されたとき、及び、減煙運転モードが指令されていないときの夫々において、適正な値に設定することが可能となるグリルを提供できる。
【００４５】
本発明のグリルの第４特徴構成は、上記第１〜第３特徴構成のいずれかに加えて、
前記グリル庫の温度を検出する温度検出手段が設けられ、
前記運転制御手段が、前記減煙火力調節制御を実行しているときに、前記温度検出手段の検出温度が火力低減用設定温度に達した場合には、前記グリルバーナの火力を前記火力設定手段にて設定された前記目標火力に対応する大きさから低下させる火力低下処理を実行するように構成されている点を特徴とする。
【００４６】
すなわち、減煙運転モードが指令されて、減煙火力調節制御が実行されているときに、グリル庫の温度を検出する温度検出手段の検出温度が火力低減用設定温度に達した場合には、運転制御手段が、グリルバーナの火力を火力設定手段にて設定された前記目標火力に対応する大きさから低下させる火力低下処理を実行するものであるから、グリル庫の温度が火力低減用設定温度よりも上昇することが抑制されることになる。
【００４７】
このように、グリル庫の温度が火力低減用設定温度よりも上昇することが抑制されるものであるから、火力低減用設定温度として、油煙の発生を抑制できる温度に設定しておくことにより、油煙の発生を適切に抑制できることになる。
【００４８】
つまり、上述の如く、油煙は、被調理物からしみ出る油脂分が不完全燃焼して生じるものであるが、グリル庫の温度が低温であれば、被調理物からしみ出る油脂分は燃焼し難いものの、グリル庫の温度が高温になると、被調理物からしみ出る油脂分が燃焼し易いものとなる。
【００４９】
そこで、火力低減用設定温度として、被調理物からしみ出る油脂分の燃焼を抑制できる温度に設定して、グリル庫の温度が火力低減用設定温度に達した場合には、グリルバーナの火力を火力設定手段にて設定された目標火力に対応する大きさから低下させて、グリル庫の温度が火力低減用設定温度よりも上昇することを抑制することにより、油煙の発生を適切に抑制できることになる。
【００５０】
要するに、本発明の第４特徴構成によれば、上記第１〜第３特徴構成のいずれかに加えて、グリル庫の温度が火力低減用設定温度よりも上昇することを抑制することにより、油煙の発生を適切に抑制できるグリルを提供できる。
【図面の簡単な説明】
【００５１】
【図１】組付式グリル付コンロの斜視図
【図２】グリル部の縦断側面図
【図３】グリル部の横断正面図
【図４】グリル用設定操作部の平面図
【図５】制御ブロック図
【図６】メニュー表を示す図
【図７】制御作動を示すフローチャート
【図８】制御作動を示すフローチャート
【図９】グリルバーナの火力変更パターンを示す表
【図１０】別実施形態の火力変更パターンを示す表
【図１１】別実施形態の火力変更パターンを示す表
【発明を実施するための形態】
【００５２】
以下、本発明の実施形態を図面に基づいて説明する。
図１に示すように、組付式グリル付コンロＣが、機器本体Ｈの横幅方向の中央部にグリルＧを備え、機器本体Ｈの上部に、コンロバーナ１として、標準バーナ１ａ、小火力バーナ１ｂ及び高火力バーナ１ｃを備え、かつ、機器本体Ｈの上部を覆う天板２を備える形態に構成されている。
尚、組付式グリル付コンロＣは、例示はしないが、システムキッチン等に対して上方から嵌め込んだ状態に装着されることになる。
【００５３】
天板２には、標準バーナ１ａ、小火力バーナ１ｂ及び高火力バーナ１ｃの夫々にて加熱される加熱対象物を載置する五徳３が設けられている。
また、天板２の後部側箇所には、グリルＧからの燃焼排ガスや油煙を排出する排気口４が形成され、排気口４には、網状の排気口カバー体５が上方に取り外し自在に載置された状態で装着されている。
【００５４】
図２に示すように、グリルＧには、グリル庫６の前部を開閉する扉Ａ（図１参照）が装備され、グリル庫６の内部には、魚類等の被調理物Ｎを載置する載置部としての焼き網７、及び、汁受け皿８が装備されている。
そして、焼き網７、汁受け皿８及び扉Ａが、グリル庫６に対して一体的に出退自在に支持されている。
【００５５】
図２及び図３に示すように、グリル庫６の上壁部には、焼き網７に載置された被調理物Ｎを上方から加熱する平板状の輻射式の上バーナ９Ｕが装備され、グリル庫６の左右の側壁部の夫々には、焼き網７に載置された被調理物を下方から加熱するための円筒状の下バーナ９Ｓが設けられている。
つまり、本実施形態のグリル庫６には、グリルバーナ９として、被調理物を上方から加熱する上バーナ９Ｕと、被調理物を下方から加熱する左右一対の下バーナ９Ｓとが設けられている。
【００５６】
図２に示すように、グリル庫６の後部には、後方上方に向けて延びる姿勢でグリル用排気筒６Ａが接続され、このグリル用排気筒６Ａの上端部が、天板２に形成した上述の排気口４に臨むように構成されている。
ちなみに、グリル用排気筒６Ａの内部には、消炎用多孔状体Ｐが、グリル用排気筒６Ａの上壁部における排気流動方向の中間部から焼き網７の存在側に向けて斜め下方に伸びる傾斜姿勢で設置されている。
【００５７】
また、消炎用多孔状体Ｐの下部には、グリル庫６からの排ガスを消炎用多孔状体Ｐに向けて案内する排気案内部材Ｐａが装備されている。
つまり、消炎用多孔状体Ｐと、それに対向するグリル用排気筒６Ａの後壁部との間には、グリル用排気筒６Ａの上端部から侵入して落下する落下物をグリル庫６の底部に導くための落下通路Ｒが存在するため、グリル庫６からの排ガスが落下通路Ｒを通して流動することを抑制すべく、排気案内部材Ｐａが装備されている。
【００５８】
図１に示すように、機器本体Ｈの前面部におけるグリルＧの左側箇所には、標準バーナ１ａに対する標準火力用操作具１０Ａ、及び、グリルバーナ９に対するグリル用設定操作部Ｄが配設され、機器本体Ｈの前面部におけるグリルＧの右側箇所には、小火力バーナ１ｂに対する小火力用操作具１０Ｂ、高火力バーナ１ｃに対する高火力用操作具１０Ｃ、及び、３つのコンロバーナ１に対するコンロ用設定操作部Ｅが配設されている。
尚、高火力用操作具１０Ｃの上部に相当する箇所には、電源スイッチＱが設けられている。
【００５９】
標準火力用操作具１０Ａ、小火力用操作具１０Ｂ、及び、高火力用操作具１０Ｃの夫々は、対応するコンロバーナ１についての燃焼開始指令及び燃焼停止指令を指令し、且つ、対応するコンロバーナ１について火力調節指令を指令するものであって、具体的には、後方側に押し込み操作されるごとに、燃焼開始指令と燃焼停止指令とを交互に指令し、また、前後方向軸心周りで正逆に回動操作されることにより、火力調節指令を指令するように構成されている。
【００６０】
ちなみに、標準火力用操作具１０Ａ、小火力用操作具１０Ｂ、及び、高火力用操作具１０Ｃの夫々には、後方側に押し込み操作されたことを検出する操作検出スイッチ、及び、正逆に回転された回動量を検出する回動量検出センサが装備されることになるが、その構成は周知であるので、本実施形態においては詳細な説明を省略する。
【００６１】
そして、図５に示すように、標準火力用操作具１０Ａ、小火力用操作具１０Ｂ、及び、高火力用操作具１０Ｃの夫々からの指令情報が、運転制御手段としての運転制御部Ｆに入力されて、運転制御部Ｆが、標準バーナ１ａ、小火力バーナ１ｂ及び高火力バーナ１ｃの燃焼を制御するように構成されている。
【００６２】
コンロ用設定操作部Ｅは、湯沸し運転、炊飯運転、揚げもの運転、タイマー運転等、コンロバーナ１に対する調理メニューを設定するものであるが、本実施形態では、詳細な説明は省略する。
尚、コンロ用設定操作部Ｅの設定情報は、運転制御部Ｆに入力されて、運転制御部Ｆが設定された調理メニューに対応する運転を行うべく、標準バーナ１ａ、小火力バーナ１ｂ及び高火力バーナ１ｃの燃焼を制御することになる。
【００６３】
グリル用設定操作部Ｄは、グリルバーナ９についての燃焼開始指令や燃焼停止指令、及び、グリルバーナ９についての火力変更指令等の各種の情報を指令するものであり、その詳細は後述する。
そして、グリル用設定操作部Ｄの指令情報が、運転制御部Ｆに入力されて、運転制御部Ｆが、グリルバーナ９の燃焼を制御することになるが、その詳細は後述する。
ちなみに、運転制御部Ｆは、上述した電源スイッチＱが入り操作されるに伴って、制御作動を実行するように構成されている。
【００６４】
図５に示すように、都市ガス等のガス燃料が供給される元ガス供給路１１に、３つのコンロバーナ１に対する３つのコンロ用分岐路１２Ａ、１２Ｂ、１２Ｃ、及び、グリルバーナ９に対するグリル用分岐路１３が接続されている。
グリル用分岐路１３は、上バーナ９Ｕに対する第１分岐路１３Ｕと下バーナ９Ｓに対する第２分岐路１３Ｓとに分岐されている。
【００６５】
そして、元ガス供給路１１には、閉じ付勢された電磁式の元ガス弁１４が配設され、３つのコンロ用分岐路１２Ａ〜１２Ｃの夫々には、３つのコンロバーナ１に供給するガス燃料の供給量を調節するコンロ用流量調節弁１５Ａ、１５Ｂ、１５Ｃが配設されている。
また、上バーナ９Ｕに対する第１分岐路１３Ｕには、上バーナ９Ｕに供給するガス燃料の供給量を調節する上バーナ用流量調節弁１６Ｕが配設され、下バーナ９Ｓに対する第２分岐路１３Ｓには、下バーナ９Ｓに供給するガス燃料の供給量を調節する下バーナ用流量調節弁１６Ｓが配設されている。
【００６６】
コンロ用流量調節弁１５Ａ〜１５Ｃは、コンロ用のステッピングモータ１７Ａ、１７Ｂ、１７Ｃにて操作されるように構成され、同様に、上バーナ用流量調節弁１６Ｕ及び下バーナ用流量調節弁１６Ｓが、グリル用のステッピングモータ１８Ｕ、１８Ｓにて操作されるように構成されている。
ちなみに、本実施形態においては、上バーナ用流量調節弁１６Ｕ及び下バーナ用流量調節弁１６Ｓが、グリルバーナ９の火力を調節する火力調節手段として機能する。
【００６７】
尚、コンロ用流量調節弁１５Ａ、１５Ｂ、１５Ｃ、上バーナ用流量調節弁１６Ｕ及び下バーナ用流量調節弁１６Ｓには、弁開度を検出するための開度検出センサ（図示せず）が装備されて、運転制御部Ｆが、運転開始時等において、開度検出センサの検出情報に基づいて、各弁の開度を確認することになる。
【００６８】
ちなみに、図５に示すように、グリル用分岐路１３には、燃料ガスの供給圧力を設定圧力に維持するためのガバナ２０が装備されている。
また、３つのコンロバーナ１及び３つのグリルバーナ９の夫々に対して、点火用の点火プラグ２１、及び、熱電対等を用いて構成される着火状態検出用の着火センサ２２が装備されている。
【００６９】
図２に示すように、グリル庫６の温度を検出する温度検出手段として、上下一対の上部側温度センサ２３及び下部側温度センサ２４が設けられている。
具体的に説明すると、上部側温度センサ２３が、グリル庫６内における焼き網７の高さよりも少し高い位置であって、排気案内部材Ｐａの上部側の横幅方向の中央位置に相当する位置に設けられ、下部側温度センサ２４が、グリル庫６内における焼き網７よりも少し低位置であって、上述した落下通路Ｒ内に相当する位置に設けられている。
【００７０】
上部側温度センサ２３が設けられる位置は、上バーナ９Ｕの燃焼排ガスが流動し、かつ、左右一対の下バーナ９Ｓの燃焼排ガスのうち焼き網７を通過して上方に流動した燃焼排ガスが流動することになる位置であって、グリルバーナ９による加熱を開始してから設定時間（例えば、１００秒）が経過した計測開始時点から計測終了時点までの計測用経過時間が経過する間における温度上昇量が被調理物Ｎの熱容量の大きさに応じて異なる位置である。
尚、上述の計測用経過時間は、後述する調理メニュー及び焼き加減に応じて変更設定されることになる。
【００７１】
下部側温度センサ２４が設けられる位置は、主に下バーナ９Ｓの燃焼排ガスが流動することになる位置であって、グリルバーナ９による加熱を開始してから設定時間（例えば、１００秒）が経過した後の計測開始時点から計測終了時点までの計測用経過時間が経過する間における温度上昇量が被調理物Ｎの熱容量の大きさに応じて異なる位置である。
尚、この下部側温度センサ２４に関する計測用経過時間は、上述した上部側温度センサ２３に関して設定される計測用経過時間と同じ値に設定される。
【００７２】
さらに、上部側温度センサ２３と下部側温度センサ２４とが設置される位置は、上述の如く、グリルバーナ９による加熱を開始してから設定時間（例えば、１００秒）が経過した後の計測開始時点から計測終了時点までの計測用経過時間が経過する間における温度上昇量が、被調理物Ｎの熱容量の大きさに応じて異なる位置であるが、加えて、被調理物Ｎの熱容量が同じであっても、計測用経過時間が経過する間における温度上昇量が、異なる位置である。
【００７３】
つまり、上部側温度センサ２３と下部側温度センサ２４とが設置される位置は、被調理物Ｎの熱容量の変動範囲のうちで熱容量が小さい小熱容量範囲においては、被調理物Ｎの熱容量の変化に対する温度上昇量の変化率が互いに同じ又は略同じ状態で被調理物Ｎの熱容量が大きいほど温度上昇量が小さくなり、熱容量が大きい大熱容量範囲においては、被調理物Ｎの熱容量の変化に対する温度上昇量の変化率が互いに異なる状態で被調理物Ｎの熱容量が大きいほど温度上昇量が小さくなる位置である。
【００７４】
そして、運転制御部Ｆが、後述する自動調理運転において、上部側温度センサ２３及び下部側温度センサ２４の検出温度の夫々について、グリルバーナ９による加熱を開始してから設定時間（例えば、１００秒）経過した後の計測開始時点から計測終了時点までの計測用経過時間が経過する間における温度上昇量を求めて、その一対の前記温度上昇量に基づいて、自動調理運転における加熱調理時間を求めるように構成されている。
【００７５】
具体的には、運転制御部Ｆは、一対の温度上昇量のうちのいずれか一方の温度上昇量から、他方の温度上昇量に予め設定されている係数を掛けた修正温度上昇量を減算することにより、小熱容量範囲並びに大熱容量範囲のいずれにおいても熱容量が大きいほど温度上昇量が小さくなる補正温度上昇量を求め、その補正温度上昇量と、後述する調理メニュー及び焼き加減に応じて設定される演算条件に基づいて、自動調理運転における加熱調理時間を求めるように構成されているが、本実施形態においては、詳細な説明を省略する。
【００７６】
ちなみに、本実施形態においては、上部側温度センサ２３の検出情報は、後述するマニュアル調理運転における加熱調理時間の初期値を設定する情報、後述する減煙運転モードが指令されている場合において、自動調理運転及びマニュアル調理運転の実行中においてグリル庫６の温度が火力低減用設定温度に達した際に、グリルバーナ９の火力を低下させる火力低下処理を行うための情報、及び、自動調理運転及びマニュアル調理運転において、グリル庫６内の温度が消火用設定温度に上昇すると、グリルバーナ９を消火する強制消火処理を行う情報としても利用されることになる。
【００７７】
図４に示すように、グリル用設定操作部Ｄの左方側部分には、押し操作されるごとに、グリルバーナ９に対する燃焼開始指令（以下、点火指令と略称）及び燃焼停止指令（以下、消火指令と略称）を交互に指令する点消火スイッチ２５、グリルバーナ９が燃焼すると点灯し、消火すると消灯する燃焼状態表示用の燃焼ランプ２６、加熱調理時間を増減設定する加熱調理時間設定手段としてのタイマー設定スイッチ２７、及び、設定された加熱調理時間を表示するタイマー表示部２８が設けられている。
【００７８】
また、グリル用設定操作部Ｄの中央部分には、グリルバーナ９の目標火力を４段階変更設定する火力設定スイッチ２９、及び、グリルバーナ９の火力を表示する火力表示部３０が設けられている。
火力表示部３０は、上バーナ９Ｕ及び下バーナ９Ｓの夫々について、火力が弱火力であることを示す弱表示部３０ａと火力が強火力であることを示す強表示部３０ｂとを、上下に並ぶ状態で備えている。
ちなみに、本実施形態においては、火力設定スイッチ２９が、グリルバーナ９の目標火力を変更設定する火力設定手段として機能することになる。
【００７９】
ちなみに、火力設定スイッチ２９は、グリルバーナ９の４段階の目標火力として、上バーナ９Ｕ及び下バーナ９Ｓの火力を、「上火：強／下火：強」とする最大火力、「上火：強／下火：弱」とする強め火力、「上火：弱／下火：強」とする弱め火力、及び、「上火：弱／下火：弱」とする最小火力の夫々に設定するものである。
具体的には、運転制御部Ｆが、火力設定スイッチ２９が押し操作されるごとに、４段階の目標火力が順次変更設定されたものであると判断して、グリルバーナ９の火力を目標火力に順次切換るように構成されている。
【００８０】
尚、グリルバーナ９の全体としての火力は、最大火力、強め火力、弱め火力、最小火力の順に小さくなることはもちろんであり、また、例えば、強め火力においては、「上火：強／下火：弱」と記載するものの、設定される４段階の火力の夫々は、後述の如く、いずれの段階においても、下バーナ９Ｓの火力の方が、上バーナ９Ｕの火力よりも大きいものである。
【００８１】
また、グリル用設定操作部Ｄの右方側部分には、加熱調理される被調理物Ｎについての調理メニューを選択するメニュースイッチ３１、焼き加減を設定する焼き加減設定スイッチ３２、後述する自動加熱運転の取り消しを指令する取消スイッチ３３等が設けられている。
【００８２】
メニュースイッチ３１により選択される調理メニューは、「姿焼き」「切身」「干物」であり、それらの調理メニューうちの選択されたものをＬＥＤランプの点灯にて示すメニュー表示部３１ａが設けられている。
焼き加減設定スイッチ３２にて設定される焼き加減は、「強め」「標準」「弱め」の３段階であり、それらの焼き加減のうちの設定されたものをＬＥＤランプにて示す焼き加減表示部３２ａが設けられている。
そして、図６に示すように、被調理物Ｎを加熱調理するときに用いるメニュー表が別途用意されており、使用者はこのメニュー表の記載内容を目安として、調理メニュー及び焼き加減を設定することになる。
【００８３】
また、グリル用設定操作部Ｄの左方側端部には、減煙運転モードを指令する減煙運転モード指令手段として、減煙運転モード指令スイッチ３４、及び、減煙運転モード状態であることを表示する減煙運転モード表示ランプ３５が設けられている。
つまり、減煙運転モード指令スイッチ３４を押し操作すると、減煙運転モードが指令されて、減煙運転モード表示ランプ３５が点灯し、再度、減煙運転モード指令スイッチ３４を押し操作すると、減煙運転モードが解除されて、減煙運転モード表示ランプ３５が消灯するように構成されている。
【００８４】
以下、運転制御部Ｆによるグリルバーナ９に対する燃焼制御について説明する。
運転制御部Ｆが実行する運転形態としては、マニュアル運転と自動調理運転とがある。
すなわち、本実施形態においては、メニュースイッチ３１による調理メニューの選択及び焼き加減設定スイッチ３２による焼き加減の設定を行うことなく、点消火スイッチ２５にて点火指令が指令されると、マニュアル運転が実行され、これとは逆に、メニュースイッチ３１による調理メニューの選択及び焼き加減設定スイッチ３２による焼き加減の設定が行われた状態で、点消火スイッチ２５にて点火指令が指令されると、自動調理運転が実行される。
【００８５】
マニュアル運転は、グリルバーナ９を、「上火：強／下火：強」とする最大火力にて点火し、その後、グリルバーナ９の火力を、火力設定スイッチ２９にて変更設定される目標火力に切換え、且つ、グリルバーナ９の燃焼を開始してからの経過時間がタイマー設定スイッチ２７にて設定された加熱調理時間に達すると、グリルバーナ９の燃焼を停止させる加熱停止処理を実行する運転形態である。
【００８６】
そして、このマニュアル運転においては、運転制御部Ｆが、グリルバーナ９の燃焼を開始したときの上部側温度センサ２３の検出温度に基づいて、加熱調理時間の初期値を、検出温度が高いほど低く設定する初期設定処理を実行し、かつ、タイマー設定スイッチ２７の設定情報に基づいて、初期設定処理によって設定した加熱調理時間を変更するように構成されている。
【００８７】
また、運転制御部Ｆが、上部側温度センサ２３の検出温度が同じときの初期値を、減煙運転モードが指令されたとき（以下、減煙運転モードと略称する）には、減煙運転モードが指令されていないとき（以下、通常調理モードと略称する）よりも、大きな値を設定する形態で、初期設定処理を実行するように構成されている。
【００８８】
説明を加えると、加熱調理時間の初期値は、グリルバーナ９の燃焼を開始したときの上部側温度センサ２３の検出温度に対して初期温度係数を乗算した値を、初期時間値から減算して求められることになる。
そして、初期時間値として、通常調理モードよりも減煙運転モードにおいて、大きな値を用いて、加熱調理時間の初期値を求めるように構成されている。
【００８９】
例えば、通常調理モードにおいては、上部側温度センサ２３の検出温度が２０℃の場合には、加熱調理時間の初期値として、４８０秒が設定され、上部側温度センサ２３の検出温度が８０℃の場合には、加熱調理時間の初期値として、３６０秒が設定される。
また、減煙運転モードにおいては、上部側温度センサ２３の検出温度が２０℃の場合には、加熱調理時間の初期値として、６００秒が設定され、上部側温度センサ２３の検出温度が８０℃の場合には、加熱調理時間の初期値として、４８０秒が設定される。
【００９０】
また、運転制御部Ｆは、マニュアル運転においては、タイマー設定スイッチ２７の設定情報に基づいて設定可能な加熱調理時間の最大値を、減煙運転モードが指令された減煙運転モードにおいては、減煙運転モードが指令されていない通常調理モードよりも、大きくするように構成されている。
具体的には、通常調理モードにおいては、加熱調理時間の最大値を１８分とし、減煙運転モードにおいては、２５分とするように構成されている。
【００９１】
グリルバーナ９の火力の４段階の切換について説明すると、運転制御部Ｆが、火力設定スイッチ２９が押されるごとに、上バーナ９Ｕ及び下バーナ９Ｓの火力を、「上火：強／下火：強」とする最大火力、「上火：強／下火：弱」とする強め火力、「上火：弱／下火：強」とする弱め火力、及び、「上火：弱／下火：弱」とする最小火力の順に順次切換えるべく、上バーナ用流量調節弁１６Ｕ及び下バーナ用流量調節弁１６Ｓの作動を制御することになる。
【００９２】
そして、運転制御部Ｆが、減煙運転モードが指令されていない通常調理モードにおいては、グリルバーナ９の火力を火力設定スイッチ２９にて設定された目標火力に対応する大きさに調節すべく、上バーナ用流量調節弁１６Ｕ及び下バーナ用流量調節弁１６Ｓの作動を制御する火力調節制御を実行するように構成されている。
【００９３】
また、運転制御部Ｆが、減煙運転モードが指令されている減煙運転モードにおいては、火力調節制御に代えて、火力設定スイッチ２９にて設定される目標火力の大きさが同じであるときの火力を火力調節制御にて調節する火力よりも小さな火力とする形態で、火力設定スイッチ２９にて設定される目標火力の大きさに応じてグリルバーナ９の火力を調節すべく、上バーナ用流量調節弁１６Ｕ及び下バーナ用流量調節弁１６Ｓを作動させる減煙火力調節制御を実行するように構成されている。
【００９４】
さらに、運転制御部Ｆが、上バーナ９Ｕの火力に対する下バーナ９Ｓの火力の比率を、火力調節制御よりも減煙火力調節制御おいて小さくする形態で、減煙火力調節制御を実行するように構成されている。
【００９５】
すなわち、本実施形態においては、グリルバーナ９の４段階の火力として、通常調理モード用の火力変更パターンと、減煙運転モード用の火力変更パターンとが予め設定されており、運転制御部Ｆが、減煙運転モード指令スイッチ３４の指令情報に基づいて、通常調理モード用の火力変更パターンと減煙運転モード用の火力変更パターンとのいずれかを選択して、選択した火力変更パターンに対応させる状態で、火力設定スイッチ２９の指令に基づいて、グリルバーナ９の火力を４段階に調節するように構成されている。
【００９６】
図９に基づいて説明を加えると、通常調理モードの火力変更パターンにおいては、グリルバーナ９の全体としての火力は、１９００Ｋｃａｌ／Ｈ〜１５００Ｋｃａｌ／Ｈの間で４段階に切換えられるのに対して、減煙運転モードの火力変更パターンにおいては、グリルバーナ９の全体としての火力は、１６５０Ｋｃａｌ／Ｈ〜１３００Ｋｃａｌ／Ｈの間で４段階に切換えられることになる。
【００９７】
そして、通常調理モードの火力変更パターンにおいては、上バーナ９Ｕの火力は、７００Ｋｃａｌ／Ｈ〜５５０Ｋｃａｌ／Ｈの間で４段階に切換えられ、下バーナ９Ｓの火力は、１２００Ｋｃａｌ／Ｈ〜９５０Ｋｃａｌ／Ｈの間で４段階に切換えられることになる。
この通常調理モードの火力変更パターンにおいては、上バーナ９Ｕの火力に対する下バーナ９Ｓの火力の比率、つまり、上下比率は、１．７１〜１．７６の範囲であり、その平均値は、１.７４である。
【００９８】
また、減煙運転モードの火力変更パターンにおいては、上バーナ９Ｕの火力は、６３０Ｋｃａｌ／Ｈ〜４９５Ｋｃａｌ／Ｈの間で４段階に切換えられ、下バーナ９Ｓの火力は、１０２０Ｋｃａｌ／Ｈ〜８０５Ｋｃａｌ／Ｈの間で４段階に切換えられることになる。
この減煙運転モードの火力変更パターンにおいては、上バーナ９Ｕの火力に対する下バーナ９Ｓの火力の比率、つまり、上下比率は、１．６２〜１．６７の範囲であり、その平均値は、１．６４である。
【００９９】
ちなみに、通常調理モードから減煙運転モードに変更した際の上バーナ９Ｕについての火力の下げ率は、約１０％であるのに対して、通常調理モードから減煙運転モードに変更した際の下バーナ９Ｓについての火力の下げ率は、約１５％である。
尚、図９においては、数値を分かり易くするために、熱量の単位をＫｃａｌとして記載したが、ＳＩ単位とする場合には、１Ｋｃａｌ＝４．１８６０５ＫＪの関係で演算すればよい。
【０１００】
また、運転制御部Ｆは、減煙運転モードが指令された減煙運転モードにて、マニュアル運転を実行しているときに、上部側温度センサ２３の検出温度が火力低減用設定温度（例えば、３００℃）に達した場合には、グリルバーナ９の火力を火力設定スイッチ２９にて設定された目標火力に対応する大きさから低下させる火力低下処理を実行するように構成されている。
【０１０１】
つまり、本実施形態においては、上部側温度センサ２３の検出温度が火力低減用設定温度（例えば、３００℃）に達した場合には、火力低下処理として、グリルバーナ９の火力を、最小火力（「上火：弱／下火：弱」）に低下させる処理を実行するように構成されている。
【０１０２】
さらに、運転制御部Ｆは、マニュアル運転を実行しているときに、上部側温度センサ２３の検出温度が消火用設定温度に達した場合には、グリルバーナ９を強制的に消火する強制消火処理を実行するように構成されている。
【０１０３】
消火用設定温度は、グリルバーナ９の燃焼を開始したときの上部側温度センサ２３の検出温度に対して、初期温度係数（例えば、０．２）を乗算して求めた値を、初期温度値（例えば、２９５℃）に加えた値として設定されるものである。
例えば、グリルバーナ９の燃焼を開始したときの上部側温度センサ２３の検出温度が、１００℃のときには、消火用設定温度は、３１５℃となる。
【０１０４】
自動調理運転は、グリルバーナ９を、「上火：強／下火：強」とする最大火力にて点火し、引き続き、グリルバーナ９の火力を、選択された調理メニュー及び設定された焼き加減に応じて定めた火力に変更する。
その後、上部側温度センサ２３及び下部側温度センサ２４の検出温度、及び、選択された調理メニュー及び設定された焼き加減に応じて設定された演算条件に基づいて、自動調理運転における加熱調理時間を求め、その加熱調理時間が経過すると、グリルバーナ９の燃焼を停止させる加熱停止処理を実行する運転形態である。
尚、自動調理運転においては、上述した通常調理モード用の火力変更パターンにて、グリルバーナの火力が変更される。
【０１０５】
また、運転制御部Ｆは、減煙運転モードが指令された減煙運転モードにて、自動調理運転を実行しているときに、上部側温度センサ２３の検出温度が火力低減用設定温度（例えば、３００℃）に達した場合には、グリルバーナ９の火力を、最小火力（「上火：弱／下火：弱」）に低下させる火力低下処理を実行するように構成されている。
【０１０６】
さらに、運転制御部Ｆは、自動調理運転を実行しているときに、上部側温度センサ２３の検出温度が消火用設定温度に達した場合には、グリルバーナ９を強制的に消火する強制消火処理を実行するように構成されている。
消火用設定温度は、マニュアル運転の場合と同様に設定されることになる。
【０１０７】
以下、運転制御部Ｆの制御作動を、図７及び図８に示すフローチャートに基づいて説明する。
運転制御部Ｆは、電源スイッチＱが入り操作されると制御作動を開始する。
先ず、点消火スイッチ２５にて点火指令が指令されたか否かを判別し（＃１）、点火指令が指令されていない場合には、メニュースイッチ３１による調理メニューの選択及び焼き加減設定スイッチ３２による焼き加減の設定があったか否かを判別する（＃２）。
そして、＃２の処理にて、調理メニューの選択及び焼き加減の設定がないと判別したときには、＃１の処理に戻ることになる。
【０１０８】
＃２の処理にて、調理メニューの選択及び焼き加減の設定があったと判別すると、引き続き、点消火スイッチ２５にて点火指令が指令されたか否かを判別し（＃３）、点火指令が指令されたと判別すると、自動調理運転を実行する（＃４）。
尚、自動調理運転の運転内容は上述した通りであるので、ここでの説明は省略する。
【０１０９】
＃３の処理にて、点火指令が指令されていないと判別したときには、＃２の処理にて、調理メニューの選択及び焼き加減の設定があったと判別したときからの経過時間が、設定時間（例えば、３分）に達したか否かを判別し（＃５）、設定時間を経過していると判別した場合には、＃１の処理に移行することになる。
つまり、調理メニューの選択及び焼き加減の設定を行った後、何らかの都合により自動調理運転を実行しないような場合には、調理メニューの選択及び焼き加減の設定が解除されることになる。
【０１１０】
＃１の処理にて、点火指令が指令されたと判別したときには、減煙運転モード指令スイッチ３４にて減煙運転モードが指令された減煙運転モードであるか否かを判別する（＃６）。
減煙運転モードでないと判別した場合には、グリルバーナ９の火力変更パターンとして、通常調理モード用の火力変更パターンを設定し（＃７）、引き続き、設定可能な加熱調理時間の最大値として、１８分を設定する（＃８）。
【０１１１】
＃６の処理にて、減煙運転モードであると判別した場合には、グリルバーナ９の火力変更パターンとして、減煙運転モード用の火力変更パターンを設定し（＃９）、引き続き、設定可能な加熱調理時間の最大値として、２５分を設定する（＃１０）。
【０１１２】
＃８の処理や＃１０の処理を実行した後は、グリルバーナ９を点火させる点火処理を実行する（＃１１）。
この点火処理は、元ガス弁１４を開き、上バーナ用流量調節弁１６Ｕ及び下バーナ用流量調節弁１６Ｓを、グリルバーナ９の最大火力（「上火：強／下火：強」）に対応する状態に作動させ、点火プラグ２１を設定時間（例えば、１０秒）作動させる処理である。
【０１１３】
尚、この点火処理におけるグリルバーナ９の最大火力（「上火：強／下火：強」）は、通常調理モードの場合には、＃７の処理にて設定した通常調理モード用の火力変更パターンにおける最大火力（「上火：強／下火：強」）であり、減煙運転モードの場合には、＃９の処理にて設定した減煙運転モード用の火力変更パターンにおける最大火力（「上火：強／下火：強」）である。
【０１１４】
点火処理を開始した後は、グリルバーナ９の上バーナ９Ｕや下バーナ９Ｓが着火したか否かを着火センサ２２の検出情報に基づいて判別する点火確認の処理を実行することになる（＃１２）。
そして、点火処理の実行を開始してからの経過時間が設定時間（例えば、１０秒）に達しても、グリルバーナ９の上バーナ９Ｕや下バーナ９Ｓの着火を検出できないときには、元ガス弁１４を閉じ、上バーナ用流量調節弁１６Ｕ及び下バーナ用流量調節弁１６Ｓを全閉状態にする消火処理を実行する（＃１３）。
尚、この消火処理を実行する際には、併せて、点火異常であることを報知すべく、例えば、警報ブザーＢ（図５参照）を作動させる点火異常報知処理を実行する。
【０１１５】
＃１２の処理にて、点火処理の実行を開始してからの経過時間が設定時間（例えば、１０秒）に達するまでに、グリルバーナ９の上バーナ９Ｕや下バーナ９Ｓが着火したことを判別した場合には、加熱調理時間をカウントするタイマーのカウントを開始するタイマースタート処理を実行する（＃１４）。
このタイマースタート処理においては、併せて、上部側温度センサ２３の検出温度に基づいて、加熱調理時間の初期値を設定する初期設定処理を実行する。
【０１１６】
初期設定処理は、上述の如く、グリルバーナ９の燃焼を開始したときの上部側温度センサ２３の検出温度に基づいて、加熱調理時間の初期値を、検出温度が高いほど低く設定する処理であり、かつ、上部側温度検出センサ２３の検出温度が同じときの初期値を、減煙運転モードの方が通常調理モードよりも大きな値に設定する形態で、加熱調理時間の初期値を設定することになる。
尚、この初期設定処理によって設定された加熱調理時間の初期値は、コンロ用設定操作部Ｅのタイマー表示部２８に表示されることになる。
【０１１７】
次に、タイマー設定スイッチ２７にて、加熱調理時間の変更が指令されたか否かを判別し（＃１５）、加熱調理時間の変更が指令されている場合には、加熱調理時間を変更する処理を実行する（＃１６）。
タイマー設定スイッチ２７にて変更できる加熱調理時間の最大値は、上述の如く、通常調理モードの場合には、１８分であり、減煙運転モードの場合には、２５分である。
尚、変更された加熱調理時間が、コンロ用設定操作部Ｅのタイマー表示部２８に表示されることになる。
【０１１８】
引き続き、火力設定スイッチ２９にて、グリルバーナ９の火力変更が指令された否かを判別し（＃１７）、火力変更が指令された場合には、グリルバーナ９の火力を調節する火力調節処理を実行する（＃１８）。
この火力調節処理は、通常調理モードの場合には、＃７の処理にて設定された通常調理モード用の火力変更パターンにて、グリルバーナ９の火力を調節し、減煙運転モードの場合には、＃９の処理にて設定された減煙運転モード用の火力変更パターンにて、グリルバーナ９の火力を調節する処理を実行することになる。
尚、この火力調節処理は、通常調理モードの火力調節制御や減煙運転モードの減煙火力調節制御に相当する。
【０１１９】
次に、点消火スイッチ２５にて消火指令が指令されたか否かを判別し（＃１９）、消火指令が指令されたと判別した場合には、グリルバーナ９を消火する消火処理の実行する（＃２０）。
この消火処理は、元ガス弁１４を閉じ、上バーナ用流量調節弁１６Ｕ及び下バーナ用流量調節弁１６Ｓを全閉状態にする処理であり、この処理を実行した後は、＃１の処理に移行することになる。
【０１２０】
＃１９の処理にて、消火指令が指令されていないと判別した場合には、加熱調理時間をカウントするタイマーがタイムアップしたか否かを判別し（＃２１）、タイムアップしていると判別したときには、グリルバーナ９を消火する消火処理の実行する（＃２２）。
この消火処理は、元ガス弁１４を閉じ、上バーナ用流量調節弁１６Ｕ及び下バーナ用流量調節弁１６Ｓを全閉状態にする処理であって、上述した加熱停止処理に対応する処理である。
そして、この処理を実行した後は、＃１の処理に移行することになる。
【０１２１】
また、＃２２の消火処理を実行する際には、併せて、加熱調理時間をカウントするタイマーがタイムアップしたことを報知すべく、例えば、警報ブザーＢ（図５参照）を作動させるタイムアップ報知処理を実行する。
【０１２２】
＃２１の処理にて、加熱調理時間をカウントするタイマーがタイムアップしていないと判別したときは、減煙運転モードであるか否かを判別する（＃２３）。
＃２３にて、減煙運転モードであると判別した場合には、上部側温度センサ２３の検出温度が火力低減用設定温度（例えば、３００℃）以上であるか否かを判別し（＃２４）、検出温度が火力低減用設定温度（例えば、３００℃）以上である場合には、グリルバーナ９の火力を最小火力（「上火：弱／下火：弱」）に低下させる火力低下処理を実行する（＃２５）。
【０１２３】
＃２３にて、減煙運転モードでないと判別したとき、＃２４にて、上部側温度センサ２３の検出温度が火力低減用設定温度（例えば、３００℃）よりも低いと判別したとき、及び、＃２５の火力低下処理を実行したときは、次に、上部側温度センサ２３の検出温度が消火用設定温度以上であるか否かを判別し（＃２６）、上部側温度センサ２３の検出温度が消火用設定温度以上でない場合には、＃１５の処理に移行することになる。
【０１２４】
＃２６の処理にて、上部側温度センサ２３の検出温度が消火用設定温度以上であると判別した場合には、グリルバーナ９を消火する強制消火処理を実行する（＃２７）。
この強制消火処理は、元ガス弁１４を閉じ、上バーナ用流量調節弁１６Ｕ及び下バーナ用流量調節弁１６Ｓを全閉状態にする処理であり、この処理を実行した後は、インターロック処理に移行することになる（＃２８）。
【０１２５】
また、＃２７の強制消火処理を実行する際には、併せて、グリル庫６内の温度が異常に高温であることを報知すべく、例えば、警報ブザーＢ（図５参照）を作動させる温度異常報知処理を実行する。
【０１２６】
＃２８のインターロック処理は、点消火スイッチ２５の指令に拘わらず、グリルバーナ９を消火状態に維持する処理である。
尚、インターロック処理の解除は、電源スイッチＱを切操作したのち、再度入り操作する、いわゆる電源リセットにより行えるように構成されている。
【０１２７】
以上の通り、本実施形態によれば、減煙運転モードを設定してマニュアル運転を実行すれば、火力設定スイッチ２９にて設定される目標火力の大きさが同じであるときの火力を通常調理モードの火力よりも小さな火力とする形態で、グリルバーナ９の火力を火力設定スイッチ２９にて設定される目標火力の大きさに応じて調節できることになるから、秋刀魚等の油脂分が多い被調理物Ｎを加熱調理する際には減煙運転モードを設定することによって、グリル庫６内に多量の油煙が発生することを抑制して、グリルＧから排出される油煙量を減少させることができる。
【０１２８】
また、マニュアル運転や自動調理運転を実行する際に、減煙運転モードを設定しておけば、上部側温度センサ２３の検出温度が火力低減用設定温度（例えば、３００℃）以上になると、グリルバーナ９の火力を最小火力（「上火：弱／下火：弱」）に低下させる火力低下処理が実行されるから、この点からも、グリル庫６内に多量の油煙が発生することを抑制して、グリルＧから排出される油煙量を減少させることができる。
【０１２９】
〔別実施形態〕
次に、別の実施形態を説明する。
（１）上記実施形態では、グリルバーナ９の火力を４段階に調節する場合を例示したが、グリルバーナ９の火力を無段階に調節する等、グリルバーナ９の火力を変更する形態は種々変更できるものである。
【０１３０】
（２）上記実施形態では、グリルバーナ９の火力を４段階に調節する場合において、上バーナ９Ｕの火力に対する下バーナ９Ｓの火力の比率を、通常調理モードにおける火力調節制御よりも減煙運転モードにおける減煙火力調節において小さくする場合を例示したが、上バーナ９Ｕの火力に対する下バーナ９Ｓの火力の比率を、通常調理モードにおける火力調節制御及び減煙運転モードにおける減煙火力調節の夫々において、図１０に示すように、同じ比率にする形態で実施してもよい。
【０１３１】
図１０に基づいて説明を加えると、通常調理モードの火力変更パターンにおいては、グリルバーナ９の全体としての火力は、１９００Ｋｃａｌ／Ｈ〜１５００Ｋｃａｌ／Ｈの間で４段階に切換えられる点は、上記実施形態と同様であるのに対して、減煙運転モードの火力変更パターンにおいては、グリルバーナ９の全体としての火力は、１７１０Ｋｃａｌ／Ｈ〜１３５０Ｋｃａｌ／Ｈの間で４段階に切換えられることになる。
【０１３２】
そして、通常調理モードの火力変更パターンにおいては、上バーナ９Ｕの火力は、７００Ｋｃａｌ／Ｈ〜５５０Ｋｃａｌ／Ｈの間で４段階に切換えられ、下バーナ９Ｓの火力は、１２００Ｋｃａｌ／Ｈ〜９５０Ｋｃａｌ／Ｈの間で４段階に切換えられることになる点も、上記実施形態と同様である。
ちなみに、この通常調理モードの火力変更パターンにおいては、上バーナ９Ｕの火力に対する下バーナ９Ｓの火力の比率、つまり、上下比率は、１．７１〜１．７６の範囲であり、その平均値は、１.７４である。
【０１３３】
そして、減煙運転モードの火力変更パターンにおいては、上バーナ９Ｕの火力は、６２５Ｋｃａｌ／Ｈ〜４９０Ｋｃａｌ／Ｈの間で４段階に切換えられ、下バーナ９Ｓの火力は、１０８５Ｋｃａｌ／Ｈ〜８６０Ｋｃａｌ／Ｈの間で４段階に切換えられることになる。
この減煙運転モードの火力変更パターンにおいては、上バーナ９Ｕの火力に対する下バーナ９Ｓの火力の比率、つまり、上下比率は、１．７４〜１．７６の範囲であり、その平均値は、１．７５となり、通常調理モードにおける上下比率と略同一である。
【０１３４】
ちなみに、通常調理モードから減煙運転モードに変更した際の上バーナ９Ｕについての火力の下げ率は、約１０％であり、同様に、通常調理モードから減煙運転モードに変更した際の下バーナ９Ｓについての火力の下げ率も、約１０％である。
尚、図１０においては、熱量の単位をＫｃａｌとして記載したが、ＳＩ単位とする場合には、１Ｋｃａｌ＝４．１８６０５ＫＪの関係で演算すればよい。
【０１３５】
（３）上記実施形態では、グリルバーナ９の火力を４段階に調節する場合において、そ  の４段階の火力のいずれにおいても、グリルバーナ９の火力が減煙運転モードの方が通常調理モードよりも小さくなる場合、つまり、目標火力の変更範囲における全範囲において目標火力の大きさが同じであるときのグリルバーナ９火力を、減煙運転モードの方が通常調理モードよりも小さくなる場合を例示した。
本発明を実施するに、このような形態に代えて、目標火力の変更範囲における火力大側範囲において目標火力の大きさが同じであるときのグリルバーナ９の火力を、減煙運転モードの方が通常調理モードよりも小さくなる形態で実施してもよい。
【０１３６】
グリルバーナ９の火力を４段階に調節する場合を例に挙げて、図１１に基づいて説明すると、通常調理モードの火力変更パターンにおいては、グリルバーナ９の全体としての火力は、１９００Ｋｃａｌ／Ｈ〜１５００Ｋｃａｌ／Ｈの間で４段階に切換えられるのに対して、減煙運転モードの火力変更パターンにおいては、グリルバーナ９の全体としての火力は、１５００Ｋｃａｌ／Ｈに維持されることになるため、減煙運転モードにおけるグリルバーナ９の全体の火力は、通常調理モードにおけるグリルバーナ９の全体としての火力の最小火力と同じ火力である。
【０１３７】
そして、通常調理モードの火力変更パターンにおいては、上バーナ９Ｕの火力は、７００Ｋｃａｌ／Ｈ〜５５０Ｋｃａｌ／Ｈの間で４段階に切換えられ、下バーナ９Ｓの火力は、１２００Ｋｃａｌ／Ｈ〜９５０Ｋｃａｌ／Ｈの間で４段階に切換えられることになる点は、上記実施形態と同様である。
ちなみに、この通常調理モードの火力変更パターンにおいては、上バーナ９Ｕの火力に対する下バーナ９Ｓの火力の比率、つまり、上下比率は、１．７１〜１．７６の範囲であり、その平均値は、１.７４である。
【０１３８】
そして、減煙運転モードの火力変更パターンにおいては、上バーナ９Ｕの火力は、５５０Ｋｃａｌ／Ｈに維持され、下バーナ９Ｓの火力は、９５０Ｋｃａｌ／Ｈに維持されることになる。
この減煙運転モードの火力変更パターンにおいては、上バーナ９Ｕの火力に対する下バーナ９Ｓの火力の比率、つまり、上下比率は、１．７３であり、通常調理モードにおける上下比率と略同一である。
【０１３９】
ちなみに、通常調理モードから減煙運転モードに変更した際の上バーナ９Ｕについての火力の下げ率は、最大火力で２１.４％、強め火力で８．３％、弱め火力で１７．９％、最小火力で０％であり、また、通常調理モードから減煙運転モードに変更した際の下バーナ９Ｓについての火力の下げ率は、最大火力で２０.８％、強め火力で９．５％、弱め火力で１９．５％、最小火力で０％である。
尚、図１１においては、熱量の単位をＫｃａｌとして記載したが、ＳＩ単位とする場合には、１Ｋｃａｌ＝４．１８６０５ＫＪの関係で演算すればよい。
【０１４０】
（４）上記実施形態では、グリルバーナ９として、上バーナ９Ｕと、左右一対の下バーナ９Ｓとが装備される場合を例示したが、例えば、グリルバーナ９として、左右一対の下バーナ９Ｓのみを備えるグリルＧにおいても、本発明は実施できるものである。
【０１４１】
（５）上記実施形態では、火力設定手段として、火力設定スイッチ２９を例示し、火力調節手段として、ステッピングモータ１８Ｕにて操作される上バーナ用流量調節弁１６Ｕ及びステッピングモータ１８Ｓにて操作される下バーナ用流量調節弁１６Ｓを例示したが、このような構成に代えて、種々の構成を採用することができる。
【０１４２】
例えば、グリルバーナ９として、上バーナ９Ｕと、下バーナ９Ｓとが装備される場合において、火力調節手段として、火力設定手段としての手動操作式の操作レバーにて弁開度が操作されて、上バーナ９Ｕに対するガス燃料の供給量を調節する上バーナ用流量調節弁と、手動操作式の操作レバーにて弁開度が操作されて、下バーナ９Ｓに対するガス燃料の供給量を調節する下バーナ用流量調節弁と、上バーナ用流量調節弁及び下バーナ用流量調節弁へのガス燃料の供給量を一括して変更する電磁操作式の供給量制御弁を設ける。
そして、運転制御部Ｆが、供給量制御弁の開度を、減煙運転モードが指令されたときには、減煙運転モードが指令されないときよりも小さくなるように操作する形態で実施してもよい。
【０１４３】
（６）上記実施形態では、マニュアル運転における加熱調理時間の設定可能な最大値を、通常調理モード及び減煙運転モードの夫々について、単一の時間を設定する場合を例示したが、グリルバーナ９の火力の大きさ夫々に合わせて、加熱調理時間の設定可能な最大値を複数設定する形態で実施してもよい。
【０１４４】
（７）上記実施形態では、グリルＧが、グリル付ガスコンロＣに装備される場合を例示したが、本発明のグリルＧは、グリル専用機を構成する場合にも適用できるものである。
【符号の説明】
【０１４５】
６      グリル庫
７      載置部
９      グリルバーナ
９Ｕ    上バーナ
９Ｓ    下バーナ
１６Ｕ  火力調節手段
１６Ｓ  火力調節手段
２３    温度検出手段
２７    加熱調理時間設定手段
２９    火力設定手段
３４    減煙モード指令手段
Ｆ      運転制御手段
【図１】
0005943684.tif 000002
【図２】
0005943684.tif 000003
【図３】
0005943684.tif 000004
【図４】
0005943684.tif 000005
【図５】
0005943684.tif 000006
【図６】
0005943684.tif 000007
【図７】
0005943684.tif 000008
【図８】
0005943684.tif 000009
【図９】
0005943684.tif 000010
【図１０】
0005943684.tif 000011
【図１１】
0005943684.tif 000012